(57)【要約】【課題】フライロッドを使用して行うフライキャスティングを容易且つ正確に行うことができるフライキャスティングのサポート具とそれを備えたフライロッドを提供する。【解決手段】フライロッド２のロッドエンド部２ａに着脱自在に連結するための連結部３０を有し、ロッドエンド部２ａに連結されると、ロッドエンド部２ａから後方に延伸した姿勢となって、フライロッド２を把持する手の前腕ＦＡを支持可能な腕支持具３と、該腕支持具３を前記手の前腕ＦＡに密着状態に固定するための固定具４とを備え、連結部３０は、フライロッド２を片手で把持すると共にそのフライロッド２を把持する手の前腕ＦＡに腕支持具３を固定具４によって固定した状態において、フライロッド２と腕支持具３との連結状態を解除可能に構成されている。【選択図】図５
2015080454.tif 000002
【特許請求の範囲】
【請求項１】
フライロッドのロッドエンド部に着脱自在に連結するための連結部を有し、ロッドエンド部に連結されると、ロッドエンド部から後方に延伸した姿勢となって、フライロッドを把持する手の前腕を支持可能な腕支持具と、該腕支持具を前記手の前腕に密着状態に固定するための固定具とを備え、
連結部は、フライロッドを片手で把持すると共にそのフライロッドを把持する手の前腕に腕支持具を固定具によって固定した状態において、フライロッドと腕支持具との連結状態を解除可能に構成されていることを特徴とするフライキャスティングのサポート具。
【請求項２】
フライロッドを片手で把持すると共にそのフライロッドを把持する手の前腕に腕支持具を固定具によって固定した状態において、前記手の手首を所定の力以上の力で曲げることにより、フライロッドと腕支持具との連結状態が解除される請求項１記載のフライキャスティングのサポート具。
【請求項３】
腕支持具の前部に前記連結部が設けられ且つ固定具は腕支持具の後部を前記手の前腕に固定する構成であり、ロッドエンド部と腕支持具との連結状態が解除されると、腕支持具はその後部を支点としてその前部が回動するように前記手から離れる請求項１又は２記載のフライキャスティングのサポート具。
【請求項４】
連結部は磁力によりロッドエンド部に着脱自在に吸着する構成である請求項１乃至３の何れかに記載のフライキャスティングのサポート具。
【請求項５】
腕支持具が長さ調節可能に構成されている請求項１乃至４の何れかに記載のライキャスティングのサポート具。
【請求項６】
請求項１乃至５の何れかに記載のフライキャスティングのサポート具を備えたフライロッド。
【発明の詳細な説明】
【技術分野】
【０００１】
本発明は、フライキャスティングをサポートするためのサポート具と、それを備えたフライロッドに関する。
【背景技術】
【０００２】
フライフィッシングにおいては、フライをキャストするためにロッドを前後に繰り返し振る動作を行う。この動作はフライキャスティングと称されるが、初心者にとってはその習得は容易ではない。つまり、フライキャスティングにおいては、ロッドティップが直線を描くようにロッドを前後に振る必要があり、フライキャスティングを正確に行うことによって、引き出されたフライラインの形状が乱れずに飛距離が伸び、狙ったポイントまでフライを正確に届けることができる。しかしながら、初心者がフライキャスティングを行うと、ロッドを把持する手の手首を返したり、開いたりすることが多い。このようにロッドを把持する手の手首が大きく動くと、ロッドティップの軌道が一直線にならず、ライン形状が安定しにくい。
【０００３】
下記特許文献１においてはロッドを把持する手とは反対側の手で把持するためのハンドル部を備えたキャスティング具が提案されているが、片手で行うフライキャスティングとは異なる操作感になる。
【先行技術文献】
【特許文献】
【０００４】
【特許文献１】米国特許第７７０７７６６号明細書
【発明の概要】
【発明が解決しようとする課題】
【０００５】
それゆえに本発明は上記従来の問題点に鑑みてなされ、フライロッドを使用して行うフライキャスティングを容易且つ正確に行うことができるフライキャスティングのサポート具とそれを備えたフライロッドを提供することを課題とする。
【課題を解決するための手段】
【０００６】
本発明は上記課題を解決すべくなされたものであって、本発明に係るフライキャスティングのサポート具は、フライロッドのロッドエンド部に着脱自在に連結するための連結部を有し、ロッドエンド部に連結されると、ロッドエンド部から後方に延伸した姿勢となって、フライロッドを把持する手の前腕を支持可能な腕支持具と、該腕支持具を前記手の前腕に密着状態に固定するための固定具とを備え、連結部は、フライロッドを片手で把持すると共にそのフライロッドを把持する手の前腕に腕支持具を固定具によって固定した状態において、フライロッドと腕支持具との連結状態を解除可能に構成されていることを特徴とする。
【０００７】
該構成のフライキャスティングのサポート具にあっては、連結部によって腕支持具をフライロッドのロッドエンド部に連結して使用することができ、また、固定具によって腕支持具を前腕に密着させて固定することができる。その連結状態においては、腕支持具がロッドエンド部から後方に延伸した姿勢となって前腕を支持できる状態となる。そして、固定具によって腕支持具が前腕に密着状態で固定されているので、フライキャスティング時に、前腕が腕支持具によってしっかりと支持されて手首が固定されることになる。従って、初心者であっても手首が大きく開くことなくフライロッドを前後に振ることができ、ロッドティップの軌道が一直線になってライン形状が安定する。フライロッドを把持する手の前腕に腕支持具を固定具によって固定した状態であっても、連結部の連結状態を解除することができるので、実際の釣りにおいて魚がヒットした場合には、フライロッドと腕支持具との連結状態を解除することで手首を自由な状態とすることができ、手首を返したり曲げたりしながら、魚の引きに応じてスムーズなロッド操作を行うことができる。
【０００８】
特に、フライロッドを片手で把持すると共にそのフライロッドを把持する手の前腕に腕支持具を固定具によって固定した状態において、前記手の手首を所定の力以上の力で曲げることにより、フライロッドと腕支持具との連結状態が解除されることが好ましい。実際の釣りにおいて魚がヒットした場合には、フライロッドを把持している手の手首を腕支持具による固定力に抗して所定の力以上の力で強引に曲げる。例えば、右手でフライロッドを把持している場合、右手の手首を強引に曲げることによって、左手を使用することなくフライロッドと腕支持具との連結状態を解除することができる。
【０００９】
また、腕支持具の前部に前記連結部が設けられ且つ固定具は腕支持具の後部を前記手の前腕に固定する構成であり、ロッドエンド部と腕支持具との連結状態が解除されると、腕支持具はその後部を支点としてその前部が回動するように前記手から離れることが好ましい。ロッドエンド部と腕支持具との連結状態が解除された際に、腕支持具の前部が後部を支点として回動するように手から離れると、魚とやりとりする際に腕支持具が邪魔になりにくい。また、腕支持具の前部が手から離れても、腕支持具はその後部において固定具によって前腕に固定されているので、腕支持具が地面や水面に落ちたりすることもない。そして、魚をランディングした後、腕支持具を再びロッドエンド部に連結してフライキャスティングを再開することができる。
【００１０】
また、連結部は磁力によりロッドエンド部に着脱自在に吸着する構成であることが好ましい。磁力を用いれば、簡単な構成で腕支持具を素早くロッドエンド部に吸着させることができ、また簡単にロッドエンド部から腕支持具を外すことができる。更に、吸着力（固定力）も、マグネットや強磁性体の大きさや配置によって容易に設定できる。
【００１１】
また、腕支持具が長さ調節可能に構成されていると、前腕の長さに合うように腕支持具の長さを調節することができ、また、好みによっても長さを調節することができる。
【００１２】
また、本発明に係るフライロッドは、上述のフライキャスティングのサポート具を備えたものとして構成される。
【発明の効果】
【００１３】
以上のように、本発明に係るフライキャスティングのサポート具とそれを備えたフライロッドにあっては、腕支持具と固定具とによってフライキャスティング時に手首が固定されるので、手首が大きく開いたりすることがなく、初心者であっても正確にフライロッドを前後に振ることができる。また、魚がヒットした場合には、フライロッドを把持する手の前腕に腕支持具を固定した状態のままでフライロッドと腕支持具との連結状態を解除することにより、腕支持具が連結されていない通常のフライロッドと同様の操作感が得られる。
【図面の簡単な説明】
【００１４】
【図１】本発明の一実施形態におけるフライキャスティングのサポート具を示す正面図。
【図２】同サポート具をフライロッドに連結した状態を示す正面図。
【図３】同サポート具の使用状態を示す要部断面図であって、（ａ）はフライロッドに連結していない状態を示し、（ｂ）はフライロッドに連結した状態を示す。
【図４】同サポート具における固定具を示す斜視図。
【図５】同サポート具の使用状態を示す正面図であって、フライロッドに連結した状態を示す。
【図６】同サポート具の使用状態を示す正面図であって、フライロッドから離れた状態を示す。
【図７】本発明の他の実施形態におけるフライキャスティングのサポート具を示す一部断面を含む正面図。
【図８】本発明の他の実施形態におけるフライキャスティングのサポート具を示す正面図。
【発明を実施するための形態】
【００１５】
以下、本発明の一実施形態に係るフライキャスティングのサポート具について図１〜図６を参酌しつつ説明する。本実施形態におけるサポート具１は、フライロッド２に連結されて使用されるものであり、フライロッド２を把持して前後に振る動作であるフライキャスティングを行う際にそれをサポートするためのものである。フライロッド２の中でも特に片手でフライロッド２を把持して前後に振るタイプ、いわゆるシングルハンドのフライロッド２に有効である。
【００１６】
該サポート具１は、図１及び図２に示すように、フライロッド２のロッドエンド部２ａに着脱自在に連結される腕支持具３と、フライロッド２を把持する釣り人の手の前腕ＦＡに腕支持具３を密着状態に固定するための固定具としての固定ベルト４とを備えている。
【００１７】
腕支持具３は、全体として棒状あるいは筒状であって、代表的には円柱状あるいは円筒状である。腕支持具３はプラスチックや木、コルク等の種々の材質から構成することができ、例えば、円筒状とする場合にはフライロッド２と同様にプリプレグシートから筒状に焼成したものとすることもできる。腕支持具３の軸線方向の一端部には、フライロッド２のロッドエンド部２ａに連結するための連結部３０が設けられ、軸線方向の他端部には、固定ベルト４が取り付けられる取付部としての取り付け孔３１が設けられている。腕支持具３は、図２のようにフライロッド２に連結されると、フライロッド２の後方に延伸した姿勢となり、腕支持具３の一端部は、即ち前端部となる。従って、腕支持具３の前端部に連結部３０が設けられ、後端部に取り付け孔３１が設けられる。
【００１８】
より具体的には、フライロッド２との連結状態において、腕支持具３はフライロッド２と同軸上にあってフライロッド２から後方、即ち竿尻側に一直線上に延びるように位置する。フライロッド２のロッドエンド部２ａにはフライロッド２にリール５を取り付けるためのリールシート６が備えられており、従って、腕支持具３は、リールシート６の後端部に連結されることになる。シングルハンドのフライロッド２は、リールシート６の後方にグリップ部が存在しない、あるいは、存在したとしても短いものであり、従って、リールシート６の前方に位置するフロントグリップ部７を片手で把持することになる。上述のように腕支持具３がフライロッド２のリールシート６の後端部に連結されると、フライロッド２のリールシート６よりも後方の部分が延長されてフライロッド２は腕支持具３の長さ分だけ長さが長くなり、その意味において腕支持具３はフライロッド２の延長ロッドとして機能する。
【００１９】
尚、腕支持具３の太さ即ち直径乃至外径は、フライロッド２のロッドエンド部２ａ（リールシート６の後端部）と略同一とすることができるが、異なるものとしてもよく、また、全長に亘って略同一径としてもよいし、例えば後端部に向けて徐々に大径となるようにしてもよいし、全長のうち所定部分を局所的に太くしたり逆に細くしたりしてもよい。腕支持具３は、フライロッド２に連結された状態において前腕ＦＡ（手首Ｒと肘Ｅの間）をその側面（側周面）によって支持するものである。従って、腕支持具３の形状や太さ等は前腕ＦＡを支持する観点から設定される。腕支持具３の長さも同様に前腕ＦＡを支持できる程度とされ、肘Ｅから後方に突出しない程度の長さとされることが好ましい。
【００２０】
図３に腕支持具３をフライロッド２に連結する様子を示している。図３（ａ）は腕支持具３がフライロッド２から離れた状態を示し、図３（ｂ）は腕支持具３がフライロッド２に連結された状態を示している。フライロッド２のロッドエンド部２ａには腕支持具３の連結部３０が連結される被連結部８が設けられており、腕支持具３の連結部３０は、フライロッド２の被連結部８に磁力により吸着保持できる構成となっている。一例としては、腕支持具３の連結部３０側にマグネットが設けられており、それに対して被連結部８側にはマグネットに吸着される鉄等の強磁性体が設けられている。また、連結部３０と被連結部８は互いにフライロッド２あるいは腕支持具３の軸線方向に沿って凹凸係合する形状とされている。本実施形態においては、連結部３０に係合凸部３２が形成され、被連結部８には係合凸部３２が係合する係合凹部９が形成されている。係合凸部３２は、腕支持具３の前端面に形成されており、例えばその中央に位置していて、前方に向けて所定量突出している。係合凹部９は、フライロッド２の後端面に形成されており、例えばその中央に位置していて、前方に向けて凹んだ形状、即ち、後方に開口する形状となっている。
【００２１】
上述のマグネットは、係合凸部３２に小型のものを設けてもよいし、係合凸部３２から後方に離れた位置に内蔵してもよいし、係合凸部３２自体をマグネットから構成したり、係合凸部３２を含む所定領域をマグネットから構成してもよい。マグネットとしては小型であっても強力なネオジウムマグネットが好ましく、少なくともフライロッド２と腕支持具３との連結箇所がぐらつくことなく一直線上に腕支持具３が連結されて前腕ＦＡを支持できる程度の吸着力が必要である。強磁性体についても同様であって、係合凹部９の底面に例えば板状の強磁性体を配置してもよいし、強磁性体を係合凹部９の底面から前側即ち奥側に離れた位置に内蔵してもよいし、また、係合凹部９の底面及び側面を強磁性体で構成してもよいし、被連結部８の全体を強磁性体で構成してもよい。
【００２２】
また、係合凸部３２と係合凹部９の形状は任意であり、例えば、双方共に円柱状であれば腕支持具３とフライロッド２とは軸線まわりに相対回転可能とすることができ、また、双方共に角柱状であれば腕支持具３とフライロッド２とは軸線まわりに相対回転不能とすることができる。
【００２３】
フライロッド２と腕支持具３との連結箇所に側方から所定の力以上の力を作用させた際に、被連結部８と連結部３０との連結状態、即ち、係合凸部３２と係合凹部９の係合状態が解除されることが必要である。フライロッド２と腕支持具３との連結箇所には、フライロッド２を把持する手の手首Ｒを強引に曲げることにより、側方から所定の力以上の力を作用させることができる。このように、フライロッド２と腕支持具３との連結箇所に側方から所定の力以上の力を作用させた際に係合凸部３２と係合凹部９の係合状態が解除されることが必要であるため、係合凹部９は係合凸部３２に対して若干大きく形成することが好ましく、また、係合凸部３２の突出量も係合状態が解除できる程度とする。
【００２４】
一方、腕支持具３の後端部には、固定ベルト４を取り付けるための取付部としての取り付け孔３１が形成されている。該取り付け孔３１は腕支持具３の側方（側周面）に開口する貫通孔とすることが好ましく、その取り付け孔３１を介して固定ベルト４が取り付けられる。図４にも示しているように固定ベルト４は、前腕ＦＡを巻回できる程度の長さを有する帯状のベルト本体４０と、該ベルト本体４０を腕支持具３の取り付け孔３１に取り付けるための取り付けリング４１，４２とを備えている。ベルト本体４０はその一端部４０ａに調節リング４３を備えており、該調節リング４３にベルト本体４０の他端部４０ｂを挿通させることによってベルト本体４０を環状とすることができて前腕ＦＡを周回することができる。調節リング４３を挿通したベルト本体４０の他端部４０ｂは外側に折り返されて例えば面ファスナーやドットボタン等によってベルト本体４０の表面に付着させて固定することができ、環状となって固定ベルト４の径、大きさを、前腕ＦＡの太さに合わせて任意に調節できる。例えば、右手の前腕ＦＡに固定ベルト４を取り付ける場合、左手でベルト本体４０の他端部４０ｂを引っ張ることで容易に長さを調節することができて前腕ＦＡにベルト本体４０をしっかりと締め付けて取り付けることができる。尚、ベルト本体４０を無端環状に形成してもよいし、伸縮性を有する素材から構成してもよい。
【００２５】
取り付けリング４１，４２は二つあり、一方の取り付けリング４１は環状のベルト本体４０と他方の取り付けリング４２を挿通してそれらを互いに連結させ、他方の取り付けリング４２は一方の取り付けリング４１と腕支持具３の取り付け孔３１を挿通してそれらを互いに連結させる。従って、取り付け孔３１が腕支持具３の軸線方向に対して直交する方向に沿って形成されていることから、腕支持具３は固定ベルト４に対して取り付け孔３１を支点として腕支持具３の軸線方向に対して直交する方向の軸線まわりにスムーズに回動できる。
【００２６】
以上のように構成されたサポート具１は図１のようにフライロッド２のロッドエンド部２ａに連結されて使用される。そして、図５のように例えば右手でフライロッド２を把持する場合、その右手の前腕ＦＡに固定ベルト４を巻き付けるように取り付けることにより、腕支持具３を固定ベルト４によって前腕ＦＡに密着させて固定することができる。尚、固定ベルト４は例えば肘Ｅの近傍に取り付けることができる。腕支持具３はフライロッド２から後方に一直線上に延伸していて、その腕支持具３が固定ベルト４によって固定されて右手の前腕ＦＡに添え木のように密着しているので、フライロッド２と腕支持具３によって右手の手首Ｒが大きく曲がることなく一定の状態に固定されることになり、フライキャスティングにおいて右手の手首Ｒが大きく開いたり曲がったりすることが防止される。従って、正確なフライキャスティングを無理なく行うことができ、練習の時のみならず実際の釣りにおいても使用することができる。
【００２７】
そして、実釣において魚がヒットした場合には、右手の手首Ｒに力を入れて強引に曲げて腕支持具３とフライロッド２との連結を解除する。通常のフライキャスティング時においては、マグネットの磁力によって腕支持具３がフライロッド２に強力に連結されているため、手首Ｒを無理矢理曲げない限りはその連結状態が維持される。一方、上述したように魚がヒットした場合に右手の手首Ｒを図６の矢印Ａの方向に強引に曲げて腕支持具３とフライロッド２との連結箇所に側方から大きな力を作用させると、腕支持具３とフライロッド２との連結箇所がくの字状に折れ曲がり、腕支持具３の連結部３０における係合凸部３２がフライロッド２の被連結部８における係合凹部９から外れる。右手の手首Ｒを強引に曲げるタイミングとしては、例えばフッキングのタイミングがあり、フッキングに際してフライロッド２を立てる動作を行うことによって手首Ｒが曲がって腕支持具３の連結部３０をフライロッド２の被連結部８から離すことができる。このように左手を使用することなく右手のワンアクションのみでフライロッド２と腕支持具３との連結状態を解除できる。
【００２８】
腕支持具３の連結部３０がフライロッド２から離れると、図６のように、腕支持具３はその自重により後端部を支点として下方に自動的に回動して前腕ＦＡから下方に垂れ下がった状態となる。腕支持具３は固定ベルト４によって前腕ＦＡに取り付けられているので、腕支持具３がフライロッド２から離反しても、腕支持具３が地面や水面に落下するということはなく、腕支持具３は固定ベルト４によって前腕ＦＡに取り付けられた状態のままである。このようにフライロッド２と腕支持具３との連結状態が解除されることにより、手首Ｒが解放されて自由な状態となり、釣り人は、魚とのやりとりやロッド操作を、サポート具１を使用しない通常の状態と同様の感覚で行うことができる。
【００２９】
また、腕支持具３の後端部に固定ベルト４が取り付けられていて前腕ＦＡに腕支持具３の後端部が固定される構成であるので、腕支持具３がその後端部を支点として図６の矢印Ｂのように下方に回動して腕支持具３の前部が前腕ＦＡ及びフライロッド２から大きく離れた状態となり、特には腕支持具３が固定ベルト４から下方に垂れ下がった状態となる。従って、腕支持具３のマグネットが再びフライロッド２に吸着したりするということもなく、また、腕支持具３がロッド操作の邪魔になるということもない。しかも、ベルト本体４０が取り付けリング４１，４２を介して腕支持具３に取り付けられる構成であるため、ベルト本体４０を腕支持具３の取り付け孔３１等の取付部に直接取り付けた構成に比して腕支持具３がスムーズに回動する。
【００３０】
そして、魚をランディングした後、腕支持具３を再びフライロッド２のロッドエンド部２ａに連結してフライキャスティングを再開することができる。その際においても、腕支持具３が固定ベルト４によって前腕ＦＡに繋ぎ止められているので、腕支持具３を素早くフライロッド２に再連結させることができる。特に、腕支持具３の連結部３０を磁力によってフライロッド２の被連結部８に吸着保持させることができるので、腕支持具３を素早くフライロッド２に連結してフライキャスティングを再開することができる。
【００３１】
尚、腕支持具３が長さ調節可能に構成されていてもよい。腕支持具３を長さ調節可能に構成すれば、釣り人の好みや前腕ＦＡの長さ等に合わせて腕支持具３を伸縮させることができる。この長さ調節の構造としては、例えば、図７のように腕支持具３を前後二分割の構成として、前側部材５０の雄ネジ部５１を後側部材５２の雌ネジ部５３に螺入する構成とし、そのねじ込み長さを調節することによって腕支持具３の全長を軸線方向（図７の矢印Ｄ）に沿って任意に伸縮調節できるようにしてもよい。無論、雄ネジ部５１を後側部材５２に設け、雌ネジ部５３を前側部材５０に設けるようにしてもよい。尚、図７の矢印Ｃのように前側部材５０をその軸線まわりに回転させてねじ込み量を調節する構成では、連結部３０における係合凸部３２の形状は円柱状とすることが好ましい。
【００３２】
また、図８のように、腕支持具３を振り出し式釣竿のように直径が徐々に異なる複数本の筒体６０，６１，６２，６３を備えた構成とすることによって、腕支持具３をその軸線方向（図８の矢印Ｄ）に沿って伸縮できるようにしてもよい。その際、特に、小径側の筒体を前側に向けて出退させるように構成することが好ましい。また、最も小径の筒体６３の先端に係合凸部３２を形成するようにする。
【００３３】
尚、上記実施形態では、腕支持具３の連結部３０に係合凸部３２を設け、フライロッド２の被連結部８には係合凹部９を設けたが、腕支持具３の連結部３０に係合凹部９を設け、フライロッド２の被連結部８に係合凸部３２を設けても無論構わない。同様に、腕支持具３側ではなくフライロッド２側にマグネットを配置するようにしてもよい。
【００３４】
また、上記説明では、左手を使用せずにフライロッド２を把持している右手の手首Ｒを所定の力以上の力で曲げるという一つの動作、ワンアクションで腕支持具３のフライロッド２への連結状態を解除したが、フライロッド２を把持する手とは反対の手である左手を使用して解除操作してもよい。例えば、左手で腕支持具３を掴んで側方に引っ張ってフライロッド２から腕支持具３を離脱させてもよい。そのように左手で腕支持具３を側方に引っ張るというワンアクションによっても、フライロッド２と腕支持具３との連結箇所に側方に向けて所定の力以上の力（マグネットの吸着力以上の力）を作用させることができる。尚、そのように左手で腕支持具３を引っ張ってフライロッド２から離脱操作する構成においては、腕支持具３の例えば前部に、摘み部やフック部、ハンドル部、引き紐等の操作部を設けておくことが好ましい。
【００３５】
また更に、腕支持具３をフライロッド２に連結するための連結部３０の構成についても種々の変更が可能であり、マグネットによる吸着保持の構成の他、自転車のペダルに使用されているビンディングシステムのような構成としてもよい。例えば、左手で腕支持具３の全体あるいは前部をその軸線まわりに所定角度回転させることによって連結部３の連結状態が解除する構成としてもよい。何れにしても、フライロッド２を片手で把持した状態であって且つその把持する手の前腕ＦＡにサポート具１を固定した状態のままで、一つの動作、ワンアクションによって腕支持具３とフライロッド２との連結状態を解除できる構成とすることが好ましい。
【００３６】
尚、腕支持具３の連結部３０はフライロッド２のロッドエンド部２ａの後端面に連結する構成の他、ロッドエンド部２ａの側面（側周面）に連結する構成であってもよい。
【００３７】
また、腕支持具３の後端部に取付部として取り付け孔３１を設けたが、取付部の構成についても種々の変更が可能であって、例えば、取り付け孔３１を設けずに固定ベルト４を直接腕支持具３の外面等に接着等により取り付けてもよく、その場合には接着部等が取付部となる。即ち、取り付けリング４１，４２を省略してもよいし、取り付けリング４１，４２を設ける場合であっても上述したような二個設ける構成の他、一個のみ設ける構成であってもよい。但し、腕支持具３はその後端部を支点として回動できる構成とすることが好ましく、特には、腕支持具３の後端部に固定ベルト４が取り付けリング等によってヒンジ連結されていることが好ましい。
【００３８】
更に、連結状態において腕支持具３がフライロッド２と一直線上に位置する構成について説明したが、必ずしも一直線上に位置しなくてもよく、例えば、腕支持具３がフライロッド２に対して側方にオフセットした状態で後方に延伸してもよいし、腕支持具３がフライロッド２に対して所定角度傾斜しつつ後方に延伸してもよい。
【００３９】
尚、固定ベルト４を腕支持具３の後端部に取り付けたが、固定ベルト４の取付位置を変更してもよい。但し、腕支持具３の後部即ち後側半分の領域に固定ベルト４を取り付けることが好ましく、腕支持具３の連結状態を解除しやすいうえに、腕支持具３の前部即ち前側半分の領域も手から離れやすい。
【００４０】
また、固定ベルト４は必ずしも前腕ＦＡを全周に亘って周回しなくてもよく、例えば、固定ベルト４のベルト本体４０の両端部４０ａ，４０ｂをそれぞれ面ファスナーやドットボタン等によって前腕ＦＡを覆う衣服の袖に着脱自在に固定する構成としてもよい。固定ベルト４のベルト本体４０は紐状であってもよい。また、固定具として固定ベルト４を用いることの他、例えば、腕支持具３の後部側面（側周面）に面ファスナーやドットボタンを固定具として設けて前腕ＦＡを覆う衣服の袖に着脱自在に固定する構成としてもよい。このように固定具の構成も適宜設計変更可能である。
【００４１】
更に、サポート具１あるいはそれを備えたフライロッド２にジャイロセンサを備えてもよい。例えば、腕支持具３にジャイロセンサを取り付けたり内蔵したりすれば、そのジャイロセンサによって腕支持具３やフライロッド２の動きを監視することができる。例えば、フライロッド２が前後に真っ直ぐに振られるのではなく、左右に揺れながら振られている場合にはジャイロセンサがそれを検出する。そして、音や光、振動等の信号を発信する発信部をジャイロセンサが備えるようにすれば、フライキャスティングにおける左右の振れが所定値を越えた場合には例えば警告として音や光、振動等を発してそのことを釣り人に知らせることができる。また、ジャイロセンサが検出したデータを記憶するためのメモリを備える構成であってもよく、例えば、フライキャスティング時の検出データをメモリに保存しておくことができる。その検出データを日付と共に記憶しておくこともできる。そして、パソコンにＵＳＢ等により接続できるように構成しておけば、メモリに記憶した検出データをパソコンの解析ソフトで解析し、また保存等することもできる。
【００４２】
また、サポート具１あるいはそれを備えたフライロッド２に釣り用リズム発信器を備えてもよい。該リズム発信器は、フライキャスティングのリズムを釣り人に知らせるためのものであって、フライキャスティングのリズムデータを記憶するメモリ等の記憶部と、該記憶部が記憶しているリズムデータに基づいたリズムで報知信号を発信するスピーカ等の発信部とを備え、釣り人は、発信部が発信する音や光、振動等の報知信号から、基準となる正確なフライキャスティングのリズム、テンポ、フライロッド２を前後に振るタイミングを容易に把握することができ、従って、その報知信号に基づいてフライキャスティングを行うことにより、正確なフライキャスティングを容易に習得することができる。
【００４３】
また、有名なキャスティングアドバイザーやインストラクター、アングラー等のフライキャスティングリズムをダウンロード等により入手してそれを記憶部に記憶しておくようにすれば、有名なキャスティングアドバイザー等のキャスティングリズムを容易に真似ることができる。
【００４４】
更に、ホール動作を伴うフライキャスティングリズムでは、フライロッド２を前後に振るキャストタイミングに対して発信部が発する音等の報知信号と、ホール動作のタイミングに対して発信部が発する音等の報知信号とを、互いに異なる種類のものとすれば、釣り人はキャストタイミング中に行うホール動作タイミングを容易に知ることができ、複雑な動作であるホールキャスティング動作を正確に行うことができる。
【００４５】
また更に、使用するフライロッド２の番手やポイントまでの距離といった各種の条件を入力できるようにしておいて、その入力された条件に適合したフライキャスティングリズムを発信部が発信するようにすることも好ましい。このようにサポート具１とリズム発信器の相乗効果により、正確なフライキャスティングの習得がより一層容易になる。特に、リズム発信器をサポート具１に内蔵する等、フライロッド２側でなくサポート具１側に備える構成とすれば、リズムデータの管理やダウンロード等の処理、パソコンとの接続等が容易になり、また、不要な場合には、フライロッド２に取り付けることなく通常のフライロッド２で釣りを行うということもできる。
【符号の説明】
【００４６】
１    サポート具
２    フライロッド
２ａ  ロッドエンド部
３    腕支持具
４    固定ベルト（固定具）
５    リール
６    リールシート
７    フロントグリップ部
８    被連結部
９    係合凹部
３０    連結部
３１    取り付け孔（取付部）
３２    係合凸部
４０    ベルト本体
４０ａ  一端部
４０ｂ  他端部
４１    取り付けリング
４２    取り付けリング
４３    調節リング
５０    前側部材
５１    雄ネジ部
５２    後側部材
５３    雌ネジ部
６０    筒体
６１    筒体
６２    筒体
６３    筒体
Ｅ    肘
ＦＡ  前腕
Ｒ    手首
【図１】
2015080454.tif 000003
【図２】
2015080454.tif 000004
【図３】
2015080454.tif 000005
【図４】
2015080454.tif 000006
【図５】
2015080454.tif 000007
【図６】
2015080454.tif 000008
【図７】
2015080454.tif 000009
【図８】
2015080454.tif 000010